【手続補正書】
【提出日】平成16年10月25日(2004.10.25)
【手続補正１】
【補正対象書類名】明細書
【補正対象項目名】特許請求の範囲
【補正方法】変更
【補正の内容】
【特許請求の範囲】
【請求項１】  電磁アクチュエーターであって、
遠位部を含む強磁性の電極子を受容するように構成されているとともに配置されている電極子ハウジング及びソレノイドコイルと、
前記電極子ハウジングに対して固定され、かつ前記遠位部を少なくとも部分的に取り囲むとともにある容積をもたらす電極子ポケット内の電極子流体をシールするように配列されている膜であって、前記遠位部の移動により、前記アクチュエーターによって制御されている弁通路に関連して移動される膜と、
前記電極子の前記遠位部と近位部の間で前記電極子流体の流通を可能とする流体の通路をもたらし、それによって前記弁通路が開放及び閉鎖する際、前記電極子ハウジングに対する前記電極子の急速な移動を可能とする電極子ポートからなり、
前記電極子流体が、当該移動の間、前記容積内に収められているアクチュエーター。
【請求項２】  ラッチングアクチュエーターを形成するために配置されている永久磁石をさらに含む請求項１記載のアクチュエーター。
【請求項３】  前記電極子をその延伸位置に向かってバイアスさせるように位置決めされ、及び配置されているバイアスばねをさらに含む請求項２記載のアクチュエーター。
【請求項４】  前記電極子流体が腐食防止剤を含む非圧縮性流体を含む請求項１〜３のいずれか１項記載のアクチュエーター。
【請求項５】  前記電極子流体が、本質的に、腐食防止剤と混合されている水からなる非圧縮性流体を含む請求項１〜３のいずれか１項記載のアクチュエーター。
【請求項６】  前記弁通路が閉鎖され、前記電極子がその延伸した電極子位置に配置されているとき、前記電極子の遠位部が、弁座に対して前記膜を押しつけるように配置されている請求項１〜３のいずれか１項記載のアクチュエーター。
【請求項７】  前記膜の導管上流に露出されている前記膜の領域に対する、それを支える前記遠位部の領域の比が1.4と12.3の間の範囲にある請求項６記載のアクチュエーター。
【請求項８】  前記電極子が、前記電極子ポートと連通している中央キャビティを含む請求項１又は２記載のアクチュエーター。
【請求項９】  前記中央キャビティが、その延伸位置に向かって前記電極子を付勢するバイアスばねを受容するように構成され、配置されている請求項８記載のアクチュエーター。
【請求項１０】  前記電極子の移動を検出するように構成されている電極子センサーと、
前記電極子センサーからの出力に応答して、コイルにコイル駆動力を適用するように構成されている制御回路をさらに含む請求項１〜９のいずれか１項記載のアクチュエーター。
【請求項１１】  前記制御回路がバッテリーにより作動される請求項１０記載のアクチュエーター。
【請求項１２】  前記制御回路が、第１の方向で前記コイルに前記コイル駆動力を適用して第１の末端位置に前記電極子を移動させるように構成され、その第１の駆動方向において前記コイルへの前記コイル駆動力の適用を停止するための所定の第１の電流停止基準を満たす前記センサーからの出力に応答する請求項１０記載のアクチュエーター。
【請求項１３】  前記制御回路が、前記第１の方向に対向する第２の方向で前記コイルに前記コイル駆動力を適用するように構成され、それによって前記電極子を第２の末端位置に駆動することとなり、前記センサーが、前記電極子が前記第２の末端位置に達するのを感知するように前記アクチュエーターに連結され、前記制御回路が、前記コイルに前記第２の駆動方向で前記コイル駆動力を適用するように操作可能であり、かつ第２の駆動方向において前記コイルへのコイル駆動力の適用を停止するための所定の第２の電流停止基準を満たす前記センサーの出力に応答する請求項１２記載のアクチュエーター。
【請求項１４】  前記第１の電流停止基準及び前記第２の電流停止基準が相違する請求項１３記載のアクチュエーター。
【請求項１５】  前記電極子センサーが圧電トランスデューサを含む請求項１０又は１１記載のアクチュエーター。
【請求項１６】  前記電極子センサーが光学センサーを含む請求項１０又は１１記載のアクチュエーター。
【請求項１７】  前記電極子センサーが電磁放射検出器を含む請求項１０又は１１記載のアクチュエーター。
【請求項１８】  前記制御回路が前記第１の駆動方向における前記コイルへのコイル駆動力の適用開始後、前記センサーの出力が所定の第１駆動継続時間内に前記第１の電流停止基準を満たさない場合、前記制御回路が、前記コイルにコイル駆動力を適用開始したときよりも高いレベルで、前記第１の駆動方向で前記コイルにコイル駆動力を適用する請求項１２記載のアクチュエーター。
【請求項１９】  前記制御回路が前記第２の駆動方向における前記コイルへのコイル駆動力の適用開始後、前記センサーの出力が所定の第２駆動継続時間内に前記第２の電流停止基準を満たさない場合、前記制御回路が、前記コイルにコイル駆動力を適用開始したときよりも高いレベルで、前記第２の駆動方向で前記コイルにコイル駆動力を適用する請求項１３記載のアクチュエーター。
【請求項２０】  前記電極子センサーが、外側のハウジングに固定されている圧電トランスデューサである請求項１０記載のアクチュエーター。
【請求項２１】  前記制御回路が、オブジェクトセンサと機能するように接続されている請求項１０又は１１記載のアクチュエーター。
【請求項２２】  前記オブジェクトセンサが移動センサを含む請求項２１記載のアクチュエーター。
【請求項２３】  前記オブジェクトセンサが存在センサを含む請求項２１記載のアクチュエーター。
【請求項２４】  前記オブジェクトセンサが、前記アクチュエーターによって制御されている流水装置の近傍からユーザーが離れるのを検知する請求項２１記載のアクチュエーター。
【請求項２５】  前記膜と機能的に配列され、前記弁通路に対する弁座をもたらすパイロット体部材をさらに含む請求項１〜２４の何れか１項記載のアクチュエーター。
【請求項２６】  前記パイロット体部材が、前記膜の外側表面と前記弁座の間に既知の実質上一定の距離をもたらすようにアクチュエーターベースに取り付けられている請求項２５記載のアクチュエーター。
【請求項２７】  前記パイロット体部材が、前記アクチュエーターベースに対して共働するように設計され、再現可能なストッパをもたらす肩部を含み、それによって前記アクチュエーターベースに前記パイロット体部材を取り付ける際、前記膜の外側表面と前記弁座の間の既知の実質上一定の距離が達成される請求項２５記載のアクチュエーター。
【請求項２８】  前記膜が、コンプライアント領域と、前記電極子の前記遠位部に配置されるよう設計されているとともに前記弁座と接触するように設計されている弾性を有する領域とを含む請求項１〜２７のいずれか１項記載のアクチュエーター。
【請求項２９】  前記弾性を有する領域が、さらに前記電極子の前記遠位部に取り付けられるように設計されている請求項２８記載のアクチュエーター。
【請求項３０】  前記弾性を有する領域が、前記遠位部への前記取付用に設計されているC字形形状部材を含む請求項２９記載のアクチュエーター。
【請求項３１】  水の流れを制御するように構成されている請求項１又は２５又は２８記載のアクチュエーター。
【請求項３２】  洗浄システムにおいて、水の流れを制御するように構成されている請求項１又は２５又は２８記載のアクチュエーター。
【請求項３３】  アクチュエーターを作動させる方法であって、
遠位部を含む強磁性の電極子を受容するように構成されているとともに配置されている電極子ハウジング及びソレノイドコイルを設けるステップ、
前記電極子ハウジングに対して固定され、かつ前記遠位部を少なくとも部分的に取り囲むとともにある容積をもたらす電極子ポケット内の電極子流体をシールするように配列されている膜を設けるステップ、ここで、前記遠位部の移動が、前記アクチュエーターによって制御されている弁通路に関連して前記膜を移動させ、
前記電極子の前記遠位部と近位部の間で前記電極子流体の流通を可能とする流体の通路を与える電極子ポートを設けるステップ、
前記弁通路を開放及び閉鎖するように前記ソレノイドコイルに駆動信号をもたらすステップ、を含み、前記電極子流体が、前記開放及び閉鎖の間、前記容積内に収められている方法。